(57)【特許請求の範囲】
【請求項１】
有底略円筒状の本体部と、
前記本体部の側壁部の内周面および外周面の間を貫通しているピン挿通孔と、
ピン先端部が前記外周面から外方に向かって突出可能な状態で前記ピン挿通孔に挿通されているピンと、を備える、歯科インプラント用フィクスチャーと、
前記本体部の底部および前記内周面によって囲まれている中空部内に挿入して前記ピンを外方に向かって押し出す略棒状の押し出し部材と、
前記中空部内に挿入して前記ピンのピン後端部側に係合して前記ピン先端部を前記本体部の中心軸に近付く方向に引き戻す引き戻し部材と、を備える、歯科インプラントシステムであって、
前記ピンは、前記ピン後端部に接続しており外径が前記ピン挿通孔の内径よりも大きいヘッドを有し、
前記ヘッドは、前記ピン後端部側に位置しており前記ピン後端部に向かうにつれて縮径している縮径部を有し、
前記引き戻し部材は、前記ピン後端部および前記縮径部を挟み込むスリットを有する、歯科インプラントシステム。
【請求項２】
前記歯科インプラント用フィクスチャーは、前記ピン挿通孔を複数備え、前記複数のピン挿通孔は、前記本体部の長手方向に沿って互いに間隔をおいて位置している、請求項１に記載の歯科インプラントシステム。
【請求項３】
前記歯科インプラント用フィクスチャーは、前記ピン挿通孔を複数備え、前記複数のピン挿通孔は、前記本体部の周方向に沿って互いに間隔をおいて位置している、請求項１または２に記載の歯科インプラントシステム。
【請求項４】
前記歯科インプラント用フィクスチャーは、前記ピン挿通孔を複数備え、前記本体部の長手方向に垂直な断面視において、前記複数のピン挿通孔は、前記本体部の中心軸を基準にして回転対称性を有する、請求項１〜３のいずれかに記載の歯科インプラントシステム。
【請求項５】
前記外周面は、曲面状である、請求項１〜４のいずれかに記載の歯科インプラントシステム。
【請求項６】
前記歯科インプラント用フィクスチャーは、前記外周面に積層されているコーティング層をさらに備える、請求項５に記載の歯科インプラントシステム。
【請求項７】
前記外周面は、前記本体部の先端部側に位置しており前記先端部に向かうにつれて前記本体部の外径が小さくなっているテーパ領域を有する、請求項１〜６のいずれかに記載の歯科インプラントシステム。
【請求項８】
前記押し出し部材の長手方向に垂直な断面視において、前記押し出し部材は、その半径が周方向に沿って徐々に大きくなっている領域を有する、請求項１に記載の歯科インプラントシステム。
【請求項９】
前記押し出し部材を前記中空部内に挿入したとき、前記押し出し部材の中心軸は、前記本体部の中心軸と同軸になる、請求項１または８に記載の歯科インプラントシステム。
【発明の詳細な説明】
【技術分野】
【０００１】
本発明は、歯科インプラント用フィクスチャー、並びにそれを備える歯科インプラントシステムおよび歯科インプラントに関する。
【背景技術】
【０００２】
従来から、歯科インプラント用フィクスチャー（以下、「フィクスチャー」と言うことがある。）を上下顎骨の歯槽骨に埋入することによって、咬合機能、発声機能および審美性などを回復させる歯科インプラント埋植手術が行われている（例えば、特許文献１〜３参照）。
【０００３】
歯槽骨に埋入したフィクスチャーは、骨内における固定が強固であるのが望ましい。また、埋入したフィクスチャーを感染症などの理由で歯槽骨から抜去するときには、フィクスチャーが埋入されている周囲の骨組織を損傷することなく低侵襲で容易に抜去できるのが望ましい。
【先行技術文献】
【特許文献】
【０００４】
【特許文献１】特開平１１−３３０３９号公報
【特許文献２】特表平１１−５０１８５６号公報
【特許文献３】特表２００３−５２５６９０号公報
【発明の概要】
【発明が解決しようとする課題】
【０００５】
本発明の課題は、優れた骨内固定性および抜去性を備える歯科インプラント用フィクスチャー、並びにそれを備える歯科インプラントシステムおよび歯科インプラントを提供することである。
【課題を解決するための手段】
【０００６】
本発明者らは、上記課題を解決すべく鋭意研究を重ねた結果、以下の構成からなる解決手段を見出し、本発明を完成するに至った。
（１）有底略円筒状の本体部と、前記本体部の側壁部の内周面および外周面の間を貫通しているピン挿通孔と、ピン先端部が前記外周面から外方に向かって突出可能な状態で前記ピン挿通孔に挿通されているピンと、を備える、歯科インプラント用フィクスチャー。
（２）前記ピンは、ピン後端部に接続しており外径が前記ピン挿通孔の内径よりも大きいヘッドを有する、前記（１）に記載の歯科インプラント用フィクスチャー。
（３）前記ピン挿通孔を複数備え、前記複数のピン挿通孔は、前記本体部の長手方向に沿って互いに間隔をおいて位置している、前記（１）または（２）に記載の歯科インプラント用フィクスチャー。
（４）前記ピン挿通孔を複数備え、前記複数のピン挿通孔は、前記本体部の周方向に沿って互いに間隔をおいて位置している、前記（１）〜（３）のいずれかに記載の歯科インプラント用フィクスチャー。
（５）前記ピン挿通孔を複数備え、前記本体部の長手方向に垂直な断面視において、前記複数のピン挿通孔は、前記本体部の中心軸を基準にして回転対称性を有する、前記（１）〜（４）のいずれかに記載の歯科インプラント用フィクスチャー。
（６）前記外周面は、曲面状である、前記（１）〜（５）のいずれかに記載の歯科インプラント用フィクスチャー。
（７）前記外周面に積層されているコーティング層をさらに備える、前記（６）に記載の歯科インプラント用フィクスチャー。
（８）前記外周面は、前記本体部の先端部側に位置しており前記先端部に向かうにつれて前記本体部の外径が小さくなっているテーパ領域を有する、前記（１）〜（７）のいずれかに記載の歯科インプラント用フィクスチャー。
（９）前記（１）〜（８）のいずれかに記載の歯科インプラント用フィクスチャーと、前記本体部の底部および前記内周面によって囲まれている中空部内に挿入して前記ピンを外方に向かって押し出す略棒状の押し出し部材と、を備える、歯科インプラントシステム。
（１０）前記押し出し部材の長手方向に垂直な断面視において、前記押し出し部材は、その半径が周方向に沿って徐々に大きくなっている領域を有する、前記（９）に記載の歯科インプラントシステム。
（１１）前記押し出し部材を前記中空部内に挿入したとき、前記押し出し部材の中心軸は、前記本体部の中心軸と同軸になる、前記（９）または（１０）に記載の歯科インプラントシステム。
（１２）前記中空部内に挿入して前記ピンのピン後端部側に係合して前記ピン先端部を前記中空部側に引き戻す引き戻し部材をさらに備える、前記（９）〜（１１）のいずれかに記載の歯科インプラントシステム。
（１３）前記引き戻し部材は、前記ピン後端部側を挟み込むスリットを有する、前記（１２）に記載の歯科インプラントシステム。
（１４）前記（１）〜（８）のいずれかに記載の歯科インプラント用フィクスチャーと、前記歯科インプラント用フィクスチャーの前記本体部の後端部に取り付けられている構造部品と、を備える、歯科インプラント。
（１５）前記本体部の底部および前記内周面によって囲まれている中空部内に挿入して前記ピンを外方に向かって押し出す略棒状の押し出し部材を、前記構造部品に取り付けた状態でさらに備える、前記（１４）に記載の歯科インプラント。
【発明の効果】
【０００７】
本発明によれば、骨内固定性および抜去性に優れるという効果がある。
【図面の簡単な説明】
【０００８】
【図１】本発明の一実施形態に係る歯科インプラント用フィクスチャーを示す図であり、（ａ）はピン先端部が突出していない状態を示す概略説明図、（ｂ）はピン先端部が突出している状態を示す概略説明図である。
【図２】図１に示す歯科インプラント用フィクスチャーを示す図であり、（ａ）は図１（ａ）のＩ−Ｉ線に沿って切断した状態を拡大して示す断面図、（ｂ）は図１（ｂ）のII−II線に沿って切断した状態を拡大して示す断面図である。
【図３】図１に示す歯科インプラント用フィクスチャーを歯槽骨に埋入した状態を示す概略説明図である。
【図４】本発明の他の実施形態に係る歯科インプラント用フィクスチャーを示す概略説明図である。
【図５】本発明の一実施形態に係る歯科インプラントシステムを示す図であり、（ａ）はピン先端部が突出していない状態を示す概略説明図、（ｂ）はピン先端部が突出している状態を示す概略説明図である。
【図６】図５に示す歯科インプラントシステムを示す図であり、（ａ）は図５（ａ）のIII−III線に沿って切断した状態を拡大して示す断面図、（ｂ）は図５（ｂ）のIV−IV線に沿って切断した状態を拡大して示す断面図である。
【図７】図５に示す歯科インプラントシステムが備える押し出し部材を示す図であり、（ａ）は側面図、（ｂ）は（ａ）のＶ−Ｖ線に沿って切断した状態を拡大して示す断面図である。
【図８】図５に示す歯科インプラントシステムが備える引き戻し部材を拡大して示す図であり、（ａ）は正面図、（ｂ）は（ａ）のキャップを除くVI矢視側面図である。
【図９】（ａ）および（ｂ）は、図８に示す引き戻し部材を使用してピン先端部を引き戻す状態を拡大して示す概略説明図である。
【発明を実施するための形態】
【０００９】
＜歯科インプラント用フィクスチャー＞
以下、本発明の一実施形態に係る歯科インプラント用フィクスチャーについて、図１〜図３を参照して詳細に説明する。
【００１０】
図１に示すように、本実施形態のフィクスチャー１は、有底略円筒状の本体部２を備えている。本体部２は、先端部２１、後端部２２および側壁部２３を有している。また、本体部２は、先端部２１側に位置している底部２４、底部２４および側壁部２３の内周面２３１によって囲まれている中空部２５、後端部２２に開口している開口部２６をさらに有している。
【００１１】
ここで、本実施形態のフィクスチャー１は、上述した本体部２に加えて、複数のピン挿通孔３および複数のピン４をさらに備えている。図１および図２に示すように、複数のピン挿通孔３はいずれも、本体部２の側壁部２３の内周面２３１および外周面２３２の間を貫通している。また、図１（ａ）および図２（ａ）に示すように、複数のピン４はいずれも、ピン先端部４１が外周面２３２から矢印ａに示す外方に向かって突出可能な状態で、複数のピン挿通孔３のそれぞれに挿通されている。これらの構成によれば、以下のように優れた骨内固定性および抜去性を発揮することが可能となる。
【００１２】
すなわち、図３に示すように、フィクスチャー１を顎骨の歯槽骨１００に埋入した後、複数のピン４のそれぞれのピン先端部４１を、外周面２３２から外方に向かって突出させて骨組織内に圧入することができる。その結果、フィクスチャー１を歯槽骨１００に強固に固定することができ、優れた骨内固定性を発揮することが可能となる。また、埋入したフィクスチャー１を感染症などの理由で歯槽骨１００から抜去するときには、ピン先端部４１を中空部２５側に引き戻すことによって、優れた抜去性を発揮することが可能となる。それゆえ、フィクスチャー１が埋入されている周囲の骨組織の損傷を抑制しつつ低侵襲で容易にフィクスチャー１を抜去することができる。
【００１３】
ピン挿通孔３の数とピン４の数は、同一である。また、ピン挿通孔３およびピン４のそれぞれの数は、少なくとも１つであればよい。ピン挿通孔３およびピン４のそれぞれの数としては、１〜３６であるのが好ましく、１２〜２４であるのがより好ましいが、これらに限定されるものではない。なお、骨内固定性を向上させる観点からは、ピン挿通孔３およびピン４のそれぞれの数は、本実施形態のように複数であるのが好ましい。
【００１４】
図２（ｂ）に示すように、ピン先端部４１の突出長さＬとしては、０．１〜１．０ｍｍであるのが好ましく、０．１〜０．５ｍｍであるのがより好ましいが、これらに限定されるものはない。
【００１５】
本実施形態では、複数のピン４がいずれも、次のような形状を有している。すなわち、ピン４は、その全体の形状が略円柱状である。また、ピン先端部４１の形状が、略曲面状である。なお、ピン４の形状は、上述した形状に限定されるものではない。
【００１６】
本実施形態では、図２（ｂ）に示すように、複数のピン４がいずれも、ヘッド４３を有している。ヘッド４３は、ピン後端部４２に接続しており、その外径Ｗ１がピン挿通孔３の内径Ｗ２よりも大きい。すなわち、外径Ｗ１および内径Ｗ２が、Ｗ１＞Ｗ２の関係を有している。このような構成によれば、ヘッド４３がストッパーとして機能することから、ピン４がピン挿通孔３から抜け出すのを抑制することができる。
【００１７】
ヘッド４３は、ピン４と別部材で構成されていてもよいし、ピン４と一体に成形されていてもよい。本実施形態では、ヘッド４３がピン４と一体に成形されている。一体に成形されているとは、部品毎に加工した後に溶接などの接合手段を使用して一体化されているのではなく、接合手段を使用することなく同一材料から成形体全体が一体的に作製されていることを意味するものとする。一体に成形する方法としては、例えば、切削加工などが挙げられるが、これに限定されるものではない。
【００１８】
本実施形態のヘッド４３は、図２（ａ）に示すように、縮径部４３１を有している。縮径部４３１は、ヘッド４３のうちピン後端部４２側に位置しており、ピン後端部４２に向かうにつれて縮径している部位である。このような構成によれば、後述する引き戻し部材６のスリット６３がピン後端部４２側を挟み込みやすくなる（図８（ｂ）、図９参照）。
【００１９】
本実施形態では、図１（ａ）に示すように、複数のピン挿通孔３が、本体部２の長手方向ｂに沿って互いに間隔をおいて位置している。複数のピン挿通孔３は、長手方向ｂに沿って等間隔に位置していてもよいし、不等間隔に位置していてもよい。本実施形態では、複数のピン挿通孔３が、長手方向ｂに沿って等間隔に位置している。
【００２０】
本実施形態では、図２（ａ）に示すように、複数のピン挿通孔３が、本体部２の周方向ｃに沿って互いに間隔をおいて位置している。複数のピン挿通孔３は、周方向ｃに沿って等間隔に位置していてもよいし、不等間隔に位置していてもよい。本実施形態では、複数のピン挿通孔３が、周方向ｃに沿って等間隔に位置している。
【００２１】
本実施形態では、本体部２の長手方向ｂ（図１（ａ）参照）に垂直な断面視（図２参照）において、複数のピン挿通孔３が、本体部２の中心軸Ｘ１を基準にして回転対称性を有している。具体的には、上述した断面視において、複数のピン挿通孔３が、中心軸Ｘ１を基準にして１８０°の回転対称性を有している。なお、回転対称性は１８０°に限定されるものではなく、例えば、９０°、１２０°などであってもよい。本体部２の中心軸Ｘ１とは、図１に示すように、本体部２の先端部２１および後端部２２の間を貫く軸であり、フィクスチャー１を回転させたときに回転軸となる軸を意味するものとする。
【００２２】
本実施形態のフィクスチャー１は、外周面２３２が曲面状である。言い換えれば、本実施形態のフィクスチャー１は、外周面２３２にネジ部が形成されていない。このような構成によれば、フィクスチャー１を歯槽骨１００に埋入するとき、外周面にネジ部が形成されているフィクスチャーよりも骨への圧迫が少なくなることから、優れた埋入性を発揮することが可能となる。また、外周面２３２にコーティング層が積層されているときには、フィクスチャー１を歯槽骨１００に埋入するときにコーティング層が剥離するのを抑制することができる。したがって、フィクスチャー１が、外周面２３２に積層されているコーティング層をさらに備えていると、本実施形態の有用性が向上する。コーティング層としては、例えば、ハイドロキシアパタイトコーティング層などが挙げられるが、これに限定されるものではない。
【００２３】
次に、本発明の他の実施形態に係る歯科インプラント用フィクスチャーについて、図４を参照して詳細に説明する。なお、図４においては、上述した図１〜図３と同一の構成部分には同一の符号を付して説明は省略する場合がある。
【００２４】
図４に示すように、本実施形態のフィクスチャー１’が備えている本体部２’は、その側壁部２３’の外周面２３２’が、先端部２１側に位置しており先端部２１に向かうにつれて本体部２’の外径Ｍが小さくなっているテーパ領域２３２ａを有している。このような構成によれば、フィクスチャー１’を歯槽骨１００に埋入するときの埋入性を向上させることができ、隣在歯の歯根が近接している部位や、幅の狭い歯槽堤においても容易にフィクスチャー１’を埋入できる。歯槽骨壁への穿孔を防ぐ傾斜埋入も行いやすくなる。また、テーパ領域２３２ａでは、ピン先端部４１の突出長さＬが後端部２２側よりも相対的に大きくなることから、先端部２１側の骨内固定性を向上させることができる。
【００２５】
先端部２１は、曲面状であってもよいし、平坦（フラット）状であってもよい。本実施形態の先端部２１は、曲面状である。
その他の構成は、上述した一実施形態に係るフィクスチャー１と同様であるので、説明を省略する。
【００２６】
＜歯科インプラントシステム＞
次に、本発明の一実施形態に係る歯科インプラントシステムについて、上述した一実施形態に係るフィクスチャー１を備える場合を例にとって、図５〜図９を参照して詳細に説明する。
【００２７】
図５に示すように、本実施形態の歯科インプラントシステム１０は、フィクスチャー１および押し出し部材５を備えている。押し出し部材５は、図５（ａ）に示すように、本体部２の底部２４および内周面２３１によって囲まれている中空部２５内に挿入して、複数のピン４のそれぞれを外方に向かって押し出す略棒状の部材である。
【００２８】
押し出し部材５の長手方向ｄ（図７（ａ）参照）に垂直な断面視（図７（ｂ）参照）において、本実施形態の押し出し部材５は、その半径Ｄが周方向ｅに沿って徐々に大きくなっている領域Ｓを有している。本実施形態の押し出し部材５は、領域Ｓを２つ有しており、２つの領域Ｓ、Ｓはいずれも、押し出し部材５の半周にわたって位置している。これらの構成によれば、以下のようにして複数のピン４のそれぞれを外方に向かって押し出すことが可能となる。
【００２９】
まず、図５（ａ）に示すように、押し出し部材５を、本体部２の開口部２６を介して中空部２５内に挿入する。次に、図６（ａ）に示すように、押し出し部材５を、その中心軸Ｘ２を中心に回転させる。このとき、押し出し部材５を、領域Ｓのうち半径Ｄが小さい側を回転方向の前方とする矢印ｆ方向に回転させる。これにより、領域Ｓにおける半径Ｄの変化に伴って、図５（ｂ）および図６（ｂ）に示すように、複数のピン４のそれぞれを外方に向かって押し出すことができる。本実施形態では、上述のとおり、領域Ｓが押し出し部材５の半周にわたって位置していることから、押し出し部材５を略半回転させると、複数のピン４のそれぞれを外方に向かって押し出すことができる。なお、上述した押し出し部材５の中心軸Ｘ２とは、図７（ａ）に示すように、押し出し部材５の先端部５１および後端部５２の間を貫く軸であり、押し出し部材５を回転させたときに回転軸となる軸を意味するものとする。
【００３０】
図５および図６に示すように、本実施形態では、押し出し部材５を中空部２５内に挿入したとき、押し出し部材５の中心軸Ｘ２が、本体部２の中心軸Ｘ１と同軸になる。このような構成によれば、中空部２５内において押し出し部材５をスムーズに回転させることができ、複数のピン４を均一に押し出すことができる。
【００３１】
本実施形態では、上述した図１に示すように、本体部２が、底部２４に位置しており本体部２の中心軸Ｘ１を含む凹部２７を有している。凹部２７は、その内壁が本体部２の中心軸Ｘ１上に頂点Ｐを有する円錐状である。これらの構成によれば、図５に示すように、押し出し部材５の先端部５１を凹部２７に接触させると、押し出し部材５の先端部５１が頂点Ｐ側に引き込まれて、押し出し部材５の中心軸Ｘ２が本体部２の中心軸Ｘ１と同軸になることから、両者の軸出しを簡単に行うことができる。なお、本実施形態の押し出し部材５は、軸出しを簡単に行う観点から、先端部５１の形状が先方に凸の円錐状である。
【００３２】
一方、本実施形態の歯科インプラントシステム１０は、図８に示すように、引き戻し部材６をさらに備えている。引き戻し部材６は、図９に示すように、本体部２の中空部２５内に挿入して、複数のピン４のそれぞれのピン後端部４２側に係合し、ピン先端部４１を中空部２５側に引き戻す部材である。本実施形態の引き戻し部材６は、ピン後端部４２側を挟み込むスリット６３を有している（図８（ｂ）参照）。以下、本実施形態の引き戻し部材６の構成について、具体的に説明する。
【００３３】
図８（ａ）に示すように、本実施形態の引き戻し部材６は、互いに対向して位置している一対の係合片６Ａ、６Ａを有している。一対の係合片６Ａ、６Ａのそれぞれは、長尺板状の部材であり、図８（ｂ）に示すように、その先端部６１から後端部６２に向かって延びているスリット６３を有している。また、一対の係合片６Ａ、６Ａのそれぞれは、図８（ａ）に示すように、後端部６２側に位置しており互いの間の間隔が小さくなるように折れ曲がっている折曲部６４をさらに有している。そして、引き戻し部材６は、折曲部６４近傍に取り付けられている弾性部材６５をさらに有している。本実施形態の弾性部材６５は、スプリング状のバネであるが、これに限定されるものではない。弾性部材６５は、ケース６８に収納されていてもよい。本実施形態では、弾性部材６５に外力が加えられていないとき、一対の係合片６Ａ、６Ａのそれぞれの後端部６２、６２の間には、隙間Ｙ１が形成されている。
【００３４】
本実施形態の引き戻し部材６は、キャップ６６をさらに有している。本実施形態のキャップ６６は、略筒状の部材であり、その内周面に位置している雌ネジ部６６１を有している。そして、一対の係合片６Ａ、６Ａのそれぞれは、後端部６２側に位置しておりキャップ６６の雌ネジ部６６１に螺合可能な雄ネジ部６７をさらに有している。これらの構成によれば、以下のようにして複数のピン４のそれぞれのピン先端部４１を中空部２５側に引き戻すことができる。
【００３５】
まず、図９（ａ）に示すように、引き戻し部材６を、本体部２の開口部２６を介して中空部２５内に挿入する。このとき、一対の係合片６Ａ、６Ａのそれぞれのスリット６３に、複数のピン４のそれぞれのピン後端部４２側を挟み込む。本実施形態では、ピン後端部４２とヘッド４３の縮径部４３１を挟み込む。その結果、係合片６Ａの厚み分、ピン先端部４１を矢印ｇに示す本体部２の内方に向かって動かすことができ、ピン先端部４１の一部を中空部２５側に引き戻すことができる。
【００３６】
次に、キャップ６６を矢印ｈ方向に動かし、キャップ６６の雌ネジ部６６１を、一対の係合片６Ａ、６Ａのそれぞれの後端部６２に位置している雄ネジ部６７に螺合させる。そして、図９（ｂ）に示すように、キャップ６６を矢印ｉ方向に締め付ける。これにより、弾性部材６５が圧縮される。それに伴い、一対の係合片６Ａ、６Ａのそれぞれの後端部６２、６２の間に形成されている隙間Ｙ１が小さくなり、一対の係合片６Ａ、６Ａのうちスリット６３が位置している部位の間の距離Ｙ２も小さくなる。その結果、ピン先端部４１の残りの部分を中空部２５側に引き戻すことができ、ピン先端部４１が外周面２３２から突出していない状態にすることができる
【００３７】
なお、キャップ６６を締め付ける方向は、矢印ｉ方向に限定されるものではない。また、本実施形態では、フィクスチャー１を備える場合を例にとって説明したが、フィクスチャー１に代えて、フィクスチャー１’を備える場合にも同様の効果が得られる。
【００３８】
＜歯科インプラント＞
次に、本発明の一実施形態に係る歯科インプラントについて、上述した一実施形態に係るフィクスチャー１を備える場合を例にとって、詳細に説明する。
【００３９】
本実施形態の歯科インプラントは、上述したフィクスチャー１と、フィクスチャー１の本体部２の後端部２２に取り付けられている構造部品とを備えている。
【００４０】
構造部品は、いわゆる人工の歯であり、これには金属製、セラミック製または硬質樹脂製の人工歯が含まれる。人工歯は、通常、オーダーメイドで作られ、上述した図５に示すアバットメント７を介してフィクスチャー１の後端部２２に取り付けられる。人工歯は、単独型であってもよいし、連結型(ブリッジ)であってもよい。また、上述した人工の歯には、人工歯の他に、義歯も含まれる。義歯としては、例えば、部分入れ歯または総入れ歯などのいわゆる入れ歯などが挙げられる。入れ歯は、取り外し可能な状態でアタッチメントを介してフィクスチャー１の後端部２２に取り付けられる。
【００４１】
なお、本実施形態の構造部品には、上述したアバットメント７も含まれる。アバットメント７は、フィクスチャー１に人工歯を連結する部材であり、アバットメントスクリューを介してフィクスチャー１に固定される。アバットメントスクリューは、アバットメント７と別部材で構成されていてもよいし、アバットメント７と一体に成形されていてもよい。本実施形態では、アバットメントスクリューがアバットメント７と一体に成形されている。
【００４２】
一方、歯科インプラントは、上述した押し出し部材５を、構造部品に取り付けた状態でさらに備えていてもよい。本実施形態の歯科インプラントは、図７（ａ）に示すように、押し出し部材５を、アバットメント７に取り付けた状態でさらに備えている。
【００４３】
本実施形態では、押し出し部材５がアバットメント７と一体に成形されている。このような構成によれば、押し出し部材５とアバットメント７との接続強度が向上することから、押し出し部材５がアバットメント７から外れるのを抑制することができる。なお、押し出し部材５は、アバットメント７と別部材で構成して、アバットメント７に取り付けることもできる。
【００４４】
本実施形態では、フィクスチャー１を備える場合を例にとって説明したが、フィクスチャー１に代えて、フィクスチャー１’を備える場合にも同様の効果が得られる。
【００４５】
＜歯科インプラント埋植手術＞
次に、本発明の一実施形態に係る歯科インプラント埋植手術について、上述した一実施形態に係る歯科インプラントシステム１０を使用する場合を例にとって、詳細に説明する。
【００４６】
まず、歯肉および顎骨の歯槽骨１００にドリルなどによって埋入孔を穿孔し、フィクスチャー１を埋入する。本実施形態では、上述のとおり、フィクスチャー１の外周面２３２が曲面状であることから、フィクスチャー１をスムーズに埋入することができる。
【００４７】
フィクスチャー１を歯槽骨１００に埋入した後、複数のピン４のそれぞれのピン先端部４１を外周面２３２から外方に向かって突出させて骨組織内に圧入し、フィクスチャー１を歯槽骨１００に強固に固定する。フィクスチャー１の固定が完了した後は、本体部２の後端部２２に構造部品を取り付けて歯科インプラントとし、治療を終了する。埋入したフィクスチャー１を感染症などの理由で歯槽骨から抜去するときには、ピン先端部４１を中空部２５側に引き戻してから抜去する。
【００４８】
以上、本発明に係る好ましい実施形態について例示したが、本発明は上述した実施形態に限定されるものではなく、本発明の要旨を逸脱しない限り任意のものとすることができることは言うまでもない。
【００４９】
例えば、上述した実施形態では、フィクスチャー１の本体部２の外周面２３２が曲面状であるが、外周面２３２の形状は曲面状に限定されるものではなく、例えば、必要に応じて外周面２３２にネジ部を形成することもできる。
【００５０】
また、上述した実施形態では、押し出し部材５が領域Ｓを有する構成を例に挙げて説明したが、押し出し部材５の構成は、複数のピン４のそれぞれを外方に向かって押し出すことが可能な限り、領域Ｓを有する構成に限定されるものではない。押し出し部材５の他の構成としては、例えば、押し出し部材５の先端部５１から後端部５２に向かって直径が大きくなるテーパ状などが挙げられる。
【００５１】
また、上述した実施形態では、本体部２の底部２４に位置している凹部２７が円錐状であるが、これに代えて、凹部２７を他の形状にすることができる。凹部２７の他の形状としては、例えば、雌ネジ状などが挙げられる。凹部２７を雌ネジ状にするときには、押し出し部材５の先端部５１を、雌ネジ状の凹部２７に螺合可能な雄ネジ状にすればよい。
【００５２】
また、上述した実施形態では、引き戻し部材６が係合片６Ａを有する構成を例に挙げて説明したが、引き戻し部材６の構成は、ピン後端部４２側に係合してピン先端部４１を中空部２５側に引き戻すことが可能な限り、係合片６Ａを有する構成に限定されるものではない。引き戻し部材６の他の構成としては、例えば、略棒状の部材の先端部側に粘着剤層を備え、粘着剤層による粘着性によって、ピン後端部４２側に係合する構成などが挙げられる。
【符号の説明】
【００５３】
１  歯科インプラント用フィクスチャー
２  本体部
２１  先端部
２２  後端部
２３  側壁部
２３１  内周面
２３２  外周面
２４  底部
２５  中空部
２６  開口部
２７  凹部
３  ピン挿通孔
４  ピン
４１  ピン先端部
４２  ピン後端部
４３  ヘッド
４３１  縮径部
１’  フィクスチャー
２’  本体部
２３’  側壁部
２３２’  外周面
２３２ａ  テーパ領域
１０  歯科インプラントシステム
５  押し出し部材
５１  先端部
５２  後端部
６  引き戻し部材
６Ａ  係合片
６１  先端部
６２  後端部
６３  スリット
６４  折曲部
６５  弾性部材
６６  キャップ
６６１  雌ネジ部
６７  雄ネジ部
６８  ケース
７  アバットメント
１００  歯槽骨
【図１】
0006637278.tif 000002
【図２】
0006637278.tif 000003
【図３】
0006637278.tif 000004
【図４】
0006637278.tif 000005
【図５】
0006637278.tif 000006
【図６】
0006637278.tif 000007
【図７】
0006637278.tif 000008
【図８】
0006637278.tif 000009
【図９】
0006637278.tif 000010